(57)【要約】【課題】マニュアルホワイトバランス調整と、撮像素子の主画素および副画素の感度比補正とをともに行うことができ、精度のよい撮影画像を得ることができるディジタルカメラおよび撮像制御方法を提供する。【解決手段】マニュアルホワイトバランス調整が指示する操作情報が操作部６０にて検出されると、条件出し撮影に撮像信号を主画素／副画素感度比補正するための補正条件とホワイトバランス調整するための補正条件とが制御部２６にて作成されてメモリ５０に格納され、本撮影の撮像により生成された撮像信号データに対しこれら補正条件に従って主画素／副画素感度比補正処理とホワイトバランス調整処理とがディジタル信号処理部４０にて行われる。【選択図】        図１
2004320634.tif 000002
【特許請求の範囲】
【請求項１】
撮像レンズにより結像される被写界像を光電変換して出力するディジタルカメラにおいて、該カメラは、
前記結像される被写界像に応じた撮像信号を生成する撮像手段であって、それぞれ感度の異なる主感光部による主画素と副感光部による副画素とが一組の組画素として撮像面に複数配列され、該組画素上にそれぞれ対応して前記撮像レンズからの入射光を集光するマイクロレンズが配設された撮像手段と、
前記撮像信号を処理する信号処理手段と、
該信号処理手段にて処理され生成された画像データを出力する出力手段と、
操作者の操作に応じた操作情報に応動して各部を制御する制御手段と、
前記撮像信号を補正するための情報を記憶する記憶手段と、
前記操作情報を検出する操作手段とを含み、
前記制御手段は、前記操作情報がマニュアルホワイトバランス調整を指示することを認識すると、前記撮像レンズ前に設置した被写体を撮像させる条件出し撮影を制御し、該条件出し撮影の際に前記撮像手段にて生成される撮像信号に基づいて、本撮影の際の前記主画素からの主撮像信号と前記副画素からの副撮像信号との感度比を補正するための感度比補正条件とホワイトバランスを調整するためのホワイトバランス補正条件とを生成して前記記憶手段に格納し、本撮影を指示して撮像された撮像信号を前記信号処理手段にて処理する際に、前記記憶手段に格納した感度比補正条件とホワイトバランス補正条件とを読み出して前記信号処理手段に供給し、
前記信号処理手段は、前記感度比補正条件に従って前記副撮像信号に対するゲインを制御して感度を補正するとともに、該副撮像信号のホワイトバランスを前記ホワイトバランス補正条件に従って調整することを特徴とするディジタルカメラ。
【請求項２】
請求項１に記載のディジタルカメラにおいて、前記信号処理手段は、前記主撮像信号と前記副撮像信号とを前記組画素対応に加算して高ダイナミックレンジ化する合成手段を含むことを特徴とするディジタルカメラ。
【請求項３】
請求項１に記載のディジタルカメラにおいて、前記条件出し撮影の際に、前記制御手段は、複数の絞り値に対応する感度比補正条件を生成して前記記憶手段に格納することを特徴とするディジタルカメラ。
【請求項４】
請求項３に記載のディジタルカメラにおいて、前記制御手段は、前記本撮影の際に使用した絞り値に対応する感度比補正条件を前記記憶手段から読み出して前記信号処理手段に供給することを特徴とするディジタルカメラ。
【請求項５】
請求項１に記載のディジタルカメラにおいて、前記条件出し撮影の際に、前記制御手段は、複数の絞り値に対応するホワイトバランス補正条件を生成して前記記憶手段に格納することを特徴とするディジタルカメラ。
【請求項６】
請求項５に記載のディジタルカメラにおいて、前記制御手段は、前記本撮影の際に使用した絞り値に対応するホワイトバランス補正条件を前記記憶手段から読み出して前記信号処理手段に供給することを特徴とするディジタルカメラ。
【請求項７】
請求項１に記載のディジタルカメラにおいて、前記撮像レンズは該ディジタルカメラに着脱可能な交換式レンズであることを特徴とするディジタルカメラ。
【請求項８】
撮像レンズを介して撮像手段に結像された光学像を光電変換して撮像信号を生成する撮像制御方法において、
前記撮像手段は、感度が異なる主感光部による主画素と該主画素よりも感度が低く形成された副感光部による副画素とが一組の組画素として撮像面に複数配列され、該組画素上にそれぞれ対応して前記撮像レンズからの入射光を集光するマイクロレンズが配設された撮像手段であり、
該方法は、
マニュアルホワイトバランス調整を指示する操作情報を認識する工程と、
前記ホワイトバランス調整を行うための被写体を撮像する条件出し撮像工程と、
該条件出し撮像工程にて生成される撮像信号に基づいて、本撮影の際に生成される前記主画素による主撮像信号と前記副画素による副撮像信号との感度比を一定に補正するための感度比補正条件と、ホワイトバランスを調整するためのホワイトバランス補正条件とを生成する補正条件生成工程と、
操作に応じた操作情報に応動して本撮影を制御する撮影工程と、
前記撮影工程にて生成される撮像信号を処理する信号処理工程であって、前記感度比補正条件とホワイトバランス補正条件とに基づいて前記副撮像信号に対するゲインを制御して前記主撮像信号と副撮像信号との感度比を補正する信号処理工程とを含むことを特徴とする撮像制御方法。
【請求項９】
請求項８に記載の撮像制御方法において、前記信号処理工程は、前記主撮像信号と前記副撮像信号とを前記組画素対応に加算して高ダイナミックレンジ化する合成工程を含むことを特徴とする撮像制御方法。
【請求項１０】
請求項８に記載の撮像制御方法において、前記条件出し撮影工程は、前記撮像レンズの複数の絞り値に対応する感度比補正条件を生成することを特徴とする撮像制御方法。
【請求項１１】
請求項１０に記載の撮像制御方法において、前記信号処理工程は、前記本撮影工程の際に使用した絞り値に対応する感度比補正条件に基づいて前記副撮像信号を補正することを特徴とする撮像制御方法。
【請求項１２】
請求項８に記載の撮像制御方法において、前記条件出し撮影工程は、前記撮像レンズの複数の絞り値に対応するホワイトバランス補正条件を生成することを特徴とする撮像制御方法。
【請求項１３】
請求項１２に記載の撮像制御方法において、前記信号処理工程は、前記本撮影工程の際に使用した絞り値に対応するホワイトバランス補正条件に基づいて前記主撮像信号と副撮像信号とをそれぞれ補正することを特徴とする撮像制御方法。
【発明の詳細な説明】
【０００１】
【発明の属する技術分野】
本発明は、撮像素子にて撮像されたカラー撮像信号のホワイトバランスを調整するディジタルカメラおよび撮像制御方法に関するものである。
【０００２】
【従来の技術】
近年市販されているディジタルカメラにはいろいろな補正機能が搭載されている。撮影時の光源に応じてホワイトバランス（ＷＢ）を調整するホワイトバランス調整機能はその代表的なものであり、自動的にホワイトバランスの補正が行われるカメラが多い。また、高機能なディジタルカメラでは、細かなホワイトバランス補正ができるようにマニュアル・ホワイトバランス補正機能を搭載した機種もある。マニュアル・ホワイトバランス補正は、たとえば比較的大きな白色またはグレーの紙などを、撮影のためにセットしたカメラのレンズの前に配置して行う。
【０００３】
ディジタルカメラには、ホワイトバランス補正以外の機能として色々な補正機能が搭載されている。その一つとして、撮像画像の端部が暗くなるシェーディング状態を補正するシェーディング補正機能がある。このシェーディング補正は、マニュアル・ホワイトバランス補正のときと同様に、無彩色の紙などをレンズ前にかざして撮影したり、スタジオ等の壁面を撮影したりして行う。
【０００４】
シェーディングは、一般的にはカメラの製造時に実用上問題がない程度に調整して出荷する。しかし、シェーディングは、撮影時の絞り値やズーム位置、さらに照明光源や周囲の壁からの反射光など様々な撮影条件によって変化するので、厳密な調整を行うためには、実際に撮影を行う条件でシェーディングを補正することが望ましい。
【０００５】
【特許文献１】
特開平１１−１２７４５１号公報
【特許文献２】
特開平１０−２８５５４１号公報
【特許文献３】
特公平８−３１９８８号公報。
【０００６】
【発明が解決しようとする課題】
しかしながら、特許文献３に記載されているような、一つの画素に感度の異なって相対的に感度が高い第一の撮像セルと、相対的に感度が低い第二の撮像セルとが一組の組画素として、水平および垂直走査方向にそれぞれ配列された撮像素子を用いて構成されるカメラでは、撮像素子の撮像面の結像位置によっては、第一の撮像セルおよび第二の撮像セルのそれぞれ感度が異なってしまい、さらにこれら第一および第二の撮像セルの感度比がやや異なることが発生する。この結果、撮像画像の画面の明るさや色が場所によって異なることになる。
【０００７】
これは、カメラの工場出荷時において、実用上問題のないレベルに補正することが可能である。しかし、撮像素子の主画素／副画素の感度比が撮像画面中の位置よって変化する位置依存性は、撮像レンズの種類や撮影時の絞り値（Ｆ値）などの条件によって微妙に変化するので、より厳密な調整を行うためには実際に撮影する撮影現場での撮影条件にてマニュアル調整することが望ましい。また、交換式の撮像レンズの場合には、工場出荷前にカメラ側にてすべての交換レンズに対応するように事前に補正しておくのは困難である。
【０００８】
また、実際の撮影現場では、光源の状態や環境によっては、自動調整のホワイトバランス補正が正確に調整されないことがあり、厳密な調整を行うためには、実際に撮影する撮影現場での撮影条件にてマニュアル調整することが望ましい。
【０００９】
しかし、たとえば、これらホワイトバランス調整と、主／副画素の感度比補正の補正は、それぞれ別個に行わなければならず、煩雑な操作が必要であった。また、撮影時に、絞り値を変更するとシェーディング状態が変化してしまうので、絞りの変更に応じてその都度一連のホワイトバランス補正と、主／副画素の感度比補正とをやり直さなければならないという問題があった。
【００１０】
本発明はこのような従来技術の欠点を解消し、マニュアル（手動操作）にてホワイトバランス（ＷＢ）を設定する必要があるような厳密な撮影条件にて、マニュアルＷＢ調整と感度比補正とをともに行うことができ、精度のよい撮影画像を得ることができるディジタルカメラおよび撮像制御方法を提供することを目的とする。
【００１１】
【課題を解決するための手段】
本発明は上述の課題を解決するために、撮像レンズにより結像される被写界像を光電変換して出力するディジタルカメラにおいて、このカメラは、結像される被写界像に応じた撮像信号を生成する撮像手段であって、それぞれ感度の異なる主感光部による主画素と副感光部による副画素とが一組の組画素として撮像面に複数配列され、組画素上にそれぞれ対応して撮像レンズからの入射光を集光するマイクロレンズが配設された撮像手段と、撮像信号を処理する信号処理手段と、信号処理手段にて処理され生成された画像データを出力する出力手段と、操作者の操作に応じた操作情報に応動して各部を制御する制御手段と、撮像信号を補正するための情報を記憶する記憶手段と、操作情報を検出する操作手段とを含み、制御手段は、操作情報がマニュアルホワイトバランス調整を指示することを認識すると、撮像レンズ前に設置した被写体を撮像させる条件出し撮影を制御し、条件出し撮影の際に撮像手段にて生成される撮像信号に基づいて、本撮影の際の主画素からの主撮像信号と副画素からの副撮像信号との感度比を補正するための感度比補正条件とホワイトバランスを調整するためのホワイトバランス補正条件とを生成して記憶手段に格納し、本撮影を指示して撮像された撮像信号を信号処理手段にて処理する際に、記憶手段に格納した感度比補正条件とホワイトバランス補正条件とを読み出して信号処理手段に供給し、信号処理手段は、感度比補正条件に従って副撮像信号に対するゲインを制御して感度を補正するとともに、副撮像信号のホワイトバランスをホワイトバランス補正条件に従って調整することを特徴とする。
【００１２】
この場合、信号処理手段は、主撮像信号と副撮像信号とを組画素対応に加算して高ダイナミックレンジ化する合成手段を含むとよい。
【００１３】
また、条件出し撮影の際に、制御手段は、複数の絞り値に対応する感度比補正条件を生成して記憶手段に格納するとよく、また、制御手段は、本撮影の際に使用した絞り値に対応する感度比補正条件を記憶手段から読み出して信号処理手段に供給するとよい。
【００１４】
また、条件出し撮影の際に、制御手段は、複数の絞り値に対応するホワイトバランス補正条件を生成して記憶手段に格納するとよく、また、制御手段は、本撮影の際に使用した絞り値に対応するホワイトバランス補正条件を記憶手段から読み出して信号処理手段に供給するとよい。また、撮像レンズはディジタルカメラに着脱可能な交換式レンズであるとよい。
【００１５】
また、本発明は上述の課題を解決するために、撮像レンズを介して撮像手段に結像された光学像を光電変換して撮像信号を生成する撮像制御方法において、撮像手段は、感度が異なる主感光部による主画素と主画素よりも感度が低く形成された副感光部による副画素とが一組の組画素として撮像面に複数配列され、組画素上にそれぞれ対応して撮像レンズからの入射光を集光するマイクロレンズが配設された撮像手段であり、この方法は、マニュアルホワイトバランス調整を指示する操作情報を認識する工程と、ホワイトバランス調整を行うための被写体を撮像する条件出し撮像工程と、条件出し撮像工程にて生成される撮像信号に基づいて、本撮影の際に生成される主画素による主撮像信号と副画素による副撮像信号との感度比を一定に補正するための感度比補正条件と、ホワイトバランスを調整するためのホワイトバランス補正条件とを生成する補正条件生成工程と、操作に応じた操作情報に応動して本撮影を制御する撮影工程と、撮影工程にて生成される撮像信号を処理する信号処理工程であって、感度比補正条件とホワイトバランス補正条件とに基づいて副撮像信号に対するゲインを制御して主撮像信号と副撮像信号との感度比を補正する信号処理工程とを含むことを特徴とする。
【００１６】
この場合、信号処理工程は、主撮像信号と副撮像信号とを組画素対応に加算して高ダイナミックレンジ化する合成工程を含むとよい。
【００１７】
また、条件出し撮影工程は、撮像レンズの複数の絞り値に対応する感度比補正条件を生成するとよく、また、信号処理工程は、本撮影工程の際に使用した絞り値に対応する感度比補正条件に基づいて副撮像信号を補正するとよい。
【００１８】
また、条件出し撮影工程は、撮像レンズの複数の絞り値に対応するホワイトバランス補正条件を生成するとよく、また、信号処理工程は、本撮影工程の際に使用した絞り値に対応するホワイトバランス補正条件に基づいて主撮像信号と副撮像信号とをそれぞれ補正するとよい。
【００１９】
【発明の実施の形態】
次に添付図面を参照して本発明によるディジタルカメラおよび撮像制御方法の実施例を詳細に説明する。
【００２０】
図１を参照すると同図には本発明が適用されたディジタルカメラの一実施例が示されている。本実施例におけるディジタルカメラ１０は、撮像レンズ１２により結像される光学像に応じた撮像信号を生成する撮像素子１４を備え、撮像信号を処理してその画像をモニタ表示し、また処理した画像データを出力して、たとえば情報記録媒体に記録する。
【００２１】
撮像レンズ１２は、本実施例では焦点距離が固定された単焦点レンズであり、カメラ１０本体に着脱可能な交換式レンズである。なお撮像レンズ１２はズームレンズにも交換可能である。撮像レンズ１２は、絞り１８と、撮像レンズ１２の焦点位置および焦点距離を調節するレンズ駆動部１６と、絞り１８の開口量を調節する絞り駆動部２２とを有し、レンズ駆動部１６および絞り駆動部２２は、接点等を介してカメラ１０内の制御部２６に接続されて、制御部２６の制御に応動して撮像レンズ１２および絞り１８をそれぞれ駆動する。
【００２２】
ディジタルカメラ１０は、メカニカルシャッタ２０と、メカニカルシャッタ２０を駆動するシャッタ駆動部２４と、撮像素子１４を駆動する撮像素子駆動部２８とを備えている。これらレンズ駆動部１６、絞り駆動部２２、シャッタ駆動部２４および撮像素子駆動部２８は、制御部２６から供給される制御信号に応動して駆動される。なお、カメラ１０は、撮像レンズ１２とメカニカルシャッタ２０との間に、光学像を光学ファインダに導く跳ね上げ式の４５度ミラーを配置した一眼レフ形式の構成であるとよい。
【００２３】
メカニカルシャッタ２０は、たとえば動画撮像時にはシャッタ開放状態に駆動され、また、静止画撮像時には露光終了タイミングにその開口を閉成するように駆動され、撮像素子１４に対する電子シャッタ制御駆動と併用して広範囲の露光時間、つまりシャッタ速度を与えることができる。また、メカニカルシャッタ２０がフォーカルプレーンシャッタである場合には、電子シャッタ機能を使用せず、メカニカルシャッタ２０の走行による露光時間のみでシャッタ速度が決定されてもよい。
【００２４】
撮像素子１４を図３を参照して説明すると、同図には撮像素子１４を撮像面３００側から見た場合の周辺組画素を拡大示した概略部分図が示されている。本実施例における撮像素子１４は、水平走査方向（Ｈ）および垂直走査方向（Ｖ）にそれぞれ１／２ピッチずつずらして配列した複数の組画素３０２と、各組画素３０２間を垂直走査方向にジグザグ状に配設され、それぞれ左方側に隣接して配置された組画素３０２にて生成される信号電荷を垂直走査方向（Ｖ）に転送する不図示の垂直電荷転送路と、各垂直電荷転送路からの信号電荷を水平走査方向（Ｈ）に転送する水平電荷転送路（ＨＣＣＤ）  ３０４と、信号電荷の電荷検出および増幅を行って撮像信号を出力する出力アンプ３０６と、各組画素３０２上にそれぞれ配設された凸型の複数のマイクロレンズ３０８と含むハニカム型の画素配列および垂直転送路構成のＣＣＤ型イメージセンサである。
【００２５】
実施例では、垂直電荷転送路と垂直電荷転送路とがＣＣＤ（Ｃｈａｒｇｅ  Ｃｏｕｐｌｅｄ  Ｄｅｖｉｃｅ）にて形成されたＣＣＤ型固体撮像素子が採用されている。これに限らず、ＭＯＳ型イメージセンサを採用してもよい。複数の組画素３０２はそれぞれフォトダイオードにて形成されて、垂直電荷転送との間に配設した転送ゲートを介してフォトダイオードにて生成した信号電荷を、シフトパルスに応動して垂直電荷転送路にシフトする。
【００２６】
撮像素子１４は、図示するように、素子１４内の撮像面３００に配列した画素を水平走査方向（Ｈ）と平行に分割し、相対的に面積の小さい副画素を構成して低感度の光電変換特性を有する副感光部３１０と、相対的に面積の大きな主画素を構成して高感度の光電変換特性を有する主感光部３１２とを１つの組画素３０２に組み合わせて組画素３０２を八角形にて形成している。
【００２７】
本ディジタルカメラ１０は、副感光部３１０および主感光部３１２から得られる撮像信号の一方または双方を使用して、動画像および静止画像の信号生成を行う固体撮像装置であり、動画像信号および静止画像信号に応じた映像の表示および記録保存等の信号出力を行う。入射光を集光するマイクロレンズ３０８は、各組画素３０２およびカラーフィルタの上面に被着されている。なお、同図では撮像素子１４の撮像面３００に配設された組画素３０２、垂直電荷転送路およびマイクロレンズ３０８は、それらの一部を示している。たとえば組画素３０２は、撮像面３００内に有効画素数として数十万画素ないし数百万画素の多数が配置される。
【００２８】
これらマイクロレンズ３０８により集光される光束の結像錯乱円の例を図４および図５に示す。図４には、撮像レンズ１２の射出瞳が比較的小さい場合の結像錯乱円の形成状態を示し、撮像面３００の周辺部における画素では、それぞれの結像錯乱円４００が組画素３０２中心から少しずれて撮像面中央部から外側にずれる。図５に示す例は、開放Ｆ値が異なる撮像レンズの場合で、撮像レンズ１２の射出瞳が大きい場合の結像錯乱円の形成状態を示し、図４に示した例よりも結像錯乱円４００のずれ量が大きくなっている。
【００２９】
この結果、特にＦ値の明るい大口径レンズをカメラ１０に装着した場合の絞り開放付近での撮影において、撮像面３００の上下では、副感光部３１０に結像錯乱円が重なる部分が大きく異なり、同一光量を受光した場合でも輝度差が発生しこれがシェーディングとなって、副感光部３１０の感度と主感光部３１２の感度とが撮像面の位置によって異なる。特定画素位置の副感光部３１０の出力輝度レベルが大口径時に低下する様子を図６に示す。この例ではＦナンバーが２．０〜４．０の中間付近（たとえばＦ＝２．８付近）からＦ値が小さくなると、副感光部３１０の特定画素の輝度レベルが低下する様子が示されている。図中破線で示すように、画素位置に応じて輝度レベル低下の程度が異なる。
【００３０】
本実施例では、マニュアルホワイトバランス調整の際にホワイトバランス調整のための補正条件を作成するとともに、この副感光部３１０の感度と主感光部３１２の感度との比を一定に維持するための感度比補正条件を作成し、実際の本撮影にて得られる撮像信号に対し感度比補正を行うとともに自動的にホワイトバランスの調整を行う。
【００３１】
マイクロレンズ３０８と組画素との間の層には所定配列の原色または補色型のオンチップ・カラーフィルタが配設されている。色フィルタの配列パターンとしては、原色フィルタの場合、たとえば、ＧストライプＲ／Ｂ完全市松パターンやベイヤ型等が採用される。このように実施例における撮像素子１４は、ハニカム型の画素配列および垂直転送路構成であるが、これに限らず、たとえば感度の異なる主感光部と副感光部とを含む正方画素を垂直および水平走査方向にそれぞれ複数配列した撮像素子でもよい。これら各色の色フィルタが配設された画素では、後のディジタル信号処理により、各画素位置におけるＲ、Ｇ、Ｂそれぞれの画素値が演算により算出してカラー画像信号を生成する。
【００３２】
本ディジタルカメラ１０は、各画素から得られる撮像信号を使用して、動画像および静止画像の信号生成を行う固体撮像装置であり、動画像信号および静止画像信号に応じた映像の表示および記録保存等の信号出力を行う。
【００３３】
本実施例では、手動によるホワイトバランス調整の条件出し撮影時において、白色またはグレーの板紙などをカメラ１０の撮像レンズ１２の前にセットし、設定しうる絞り値の段数分に対応した複数フレームを撮像して本撮像にて得られるカラー撮像信号に対し手動（マニュアル）操作にてホワイトバランス（ＷＢと称する）を調整するためのホワイトバランス補正条件と主画素および副画素の感度比補正を行うための感度比補正条件とを生成して記憶し、手動によるＷＢ調整が選択されている状態にて本撮影時を行うと、その撮像信号データに対し、メモリ５０に記憶した感度比補正条件に従って感度比補正を行うとともに、ＷＢ調整をメモリ５０に記憶したＷＢ補正条件に従って自動的に行う。
【００３４】
なお、本カメラ１０は、撮像信号に基づいて自動的にホワイトバランスを調整するオートＷＢ調整機能を有している。しかし上記手動によるＷＢ調整は、手動操作によるマニュアルＷＢ調整が必要とされるほどの精緻な撮影時おいて、手動操作により作成した各補正条件に従ってＷＢ調整を行うとともに主／副画素の感度比を、撮影環境に応じてより精密に補正する点で、撮影者が要求する、より高品質な撮影画像を生成することができる。
【００３５】
図１に戻って、撮像素子１４を駆動する水平および垂直転送パルス等の駆動信号は、撮像素子駆動部２８から撮像素子１４に供給される。撮像素子駆動部２８は、制御部２６に備えられるタイミングジェネレータ（不図示）にて生成されるタイミング信号に応動して撮像素子１４を駆動する駆動信号を生成する。撮像素子駆動部２８は、動画撮影モード時と静止画撮影モードとでは異なる駆動信号を撮像素子１４に供給する。タイミングジェネレータは、垂直駆動タイミング信号、水平タイミング駆動信号、トランスファゲートパルスおよび画素クロックなどの各種タイミング信号を生成し、制御部（ＣＰＵ）  ２６は、生成したタイミング信号および制御信号をレンズ駆動部１６、絞り駆動部２２、シャッタ駆動部２４、撮像素子駆動部２８、アナログ処理回路３０、アナログ／ディジタル（Ａ／Ｄ）変換回路３２，３４およびディジタル信号処理回路４０に供給する。
【００３６】
動画撮影モード時の撮像素子駆動部２８は、たとえば、各垂直走査方向に配列された各画素において、１画素または複数画素間隔にて間引きして画素単位で垂直電荷転送路に信号電荷をシフトして読み出しラインとし、信号電荷を垂直転送路にて複数画素毎に混合して、混合した信号電荷を垂直走査方向に転送する駆動信号を生成する。撮像素子駆動部２８は、垂直同期期間（ＶＤ）中に撮像素子１４の転送電極にシフトパルスを与えて、フォトダイオードにて生成された信号電荷を垂直電荷転送路に読み出し、垂直同期期間（ＶＤ）以降に、垂直転送パルスをそれぞれ対応する転送電極に供給することにより、間欠的に設定された読み出しラインの各画素を高速に読み出す。
【００３７】
静止画撮影モードにおける撮像素子駆動部２８は、たとえば、第１フィールドおよび第２フィールドの各ライン交互に画素を読み出す駆動信号を生成する。第１および第２フィールドにてそれぞれ別々に読み出された画素は、後のディジタル信号処理によってそれぞれＲＧＢ３原色の画素値を形成するように補間され各画素位置におけるカラー画素値が算出される。
【００３８】
撮像素子１４の出力はアナログ処理回路３０に接続され、アナログ処理回路３０は、入力される撮像信号に含まれるリセットノイズを除去する不図示の相関二重サンプリング（ＣＤＳ）回路と撮像信号のレベルを利得可変に増幅する利得可変増幅回路（ＧＣＡ）とを含む。アナログ処理回路３０は、撮像素子駆動部２８にて生成されるタイミング信号に同期して駆動される。また、利得可変増幅回路（ＧＣＡ）は、制御部２６から供給される制御信号に応じた利得にて撮像信号を増幅する。アナログ処理回路３０の出力は、アナログ／ディジタル（Ａ／Ｄ）変換回路３２，３４に接続され、一方のＡ／Ｄ変換回路３２は、入力される撮像信号のうち副感光部３１０からの画素信号をたとえば１２ビットのディジタル値に変換して出力する。また、他方のＡ／Ｄ変換回路３４は、入力される撮像信号のうち主感光部３１２からの画素信号をたとえば１２ビットのディジタル値に変換して出力する。副感光部３１０からの副画素信号は、後の信号処理によりハイライト領域の画像を形成する成分として主画素信号に加算混合されて、高ダイナミックレンジの画像データが生成される。
【００３９】
Ａ／Ｄ変換回路３２，３４の出力に接続されたディジタル信号処理回路４０は、ディジタル値に変換された撮像信号データを制御部２６からの制御に応じて記憶および演算処理して、表示用の画像データと記録用の画像データとを生成する処理回路である。ディジタル信号処理回路４０は、生成した表示用の画像データを表示部４６に出力し、記録用の画像データを画像記録部４８に出力する。ディジタル信号処理回路４０の詳細構成については後述する。
【００４０】
表示部４６は、ディジタル信号処理回路４０にて生成される表示用の画像データの表す画像を表示する液晶表示パネルを有し、撮影または再生された画像データを液晶表示パネルに出力して表示する。また、表示部４６は、外部接続される表示装置に表示用の画像信号を生成して出力する機能を有している。
【００４１】
画像記録部４８は、符号化された圧縮または非圧縮の画像データを制御部２６の制御に応動して情報記録媒体に出力して情報記録媒体に読出し可能に記録する情報保持部である。画像記録部４８は、画像データに各種撮影情報等を付加して作成した画像ファイルを、たとえば所定形式の階層構造にて編成されたディレクトリに各画像ファイル毎に異なるファイル名を作成して記録する。情報記録媒体としては、たとえば、半導体記憶素子を有するメモリカードや、記録可能な光ディスクおよび磁気ディスクなどの大容量の情報記録媒体が適用される。画像記録部４８は作成した画像ファイルを、無線または有線により接続される他の情報処理装置に伝送する機能を有してもよい。
【００４２】
制御部（ＣＰＵ）  ２６は、操作部６０にて検出される操作情報に応動して本カメラ１０の動作を制御するタイミング信号や制御信号を生成し各部に供給するシステム制御機能と、ディジタル信号処理部４０にて処理された画像データに基づいて撮像制御を行うための制御情報を生成する機能とを含み、たとえば、操作部６０にて検出される操作情報に応動して本カメラ１０を静止画撮影モードまたは動画撮影モードに設定し各部を制御する。制御部２６は、ＣＰＵ，ＲＯＭ，ＲＡＭ、基準クロックおよび入出力回路等を含むコンピュータシステムにて構成され、ＲＯＭ  には制御プログラムが格納されて、制御部２６はプログラム手順および操作情報に従って各種処理を行う。
【００４３】
具体的には、制御部２６は、撮像レンズ１２のフォーカスを制御するとともに、その現在のフォーカス位置を認識して記憶する。本実施例では、操作部６０に収容されたレリーズスイッチ（不図示）への第１ストロークが検出されると動画撮影モードを設定し、第２ストロークが検出されると静止画撮影モードを設定する。また、撮像レンズ１２のフォーカスは、制御部２６による制御のほかに手動にて調節することができ、この場合にも制御部２６は、撮像レンズ１２のフォーカス位置を判定する。
【００４４】
制御部２６は、動画撮影モードでは、撮像素子１４にて間引き読み出しを行う間引駆動を指示する制御信号を生成して撮像素子駆動部２８に供給する。制御部２６は、さらに静止画撮影モードでは、２つのフィールドにて全画素を撮像素子１４から読み出す全画素読出し駆動を指示する制御信号を生成して撮像素子駆動部２８に供給する。
【００４５】
制御部２６は、メモリ５０に対する記憶制御機能を有し、撮像信号データの格納アドレスを指定するアドレス信号を生成するとともに、撮像信号データの書込みおよび読出しを制御する書込信号および読出信号を生成し画像メモリ５０に供給する。
【００４６】
制御部２６はさらに、感度比補正条件およびＷＢ補正条件の各補正情報を生成し、対応する絞り値（Ｆ値）とともにメモリ５０に蓄積する機能を有している。詳しくは、制御部２６は、撮像レンズ１２の種類や被写界の光源状態や撮影時の絞り値等の撮像条件によって変化する特に副感光部の主感光部に対する感度比変動を補正する制御を行う。具体的には、操作部６０に配設されたホワイトバランスオート／マニュアル切換スイッチ６２がマニュアル側に切り換えられ、ワンプッシュマニュアルＷＢボタン６４の押下を検出すると、条件出し撮影を開始させて、マニュアルＷＢ調整のための補正条件を生成し、そのマニュアル調整時における本撮影時に補正条件に応じた感度比補正およびＷＢ調整を行うように制御する機能を有している。
【００４７】
この場合、制御部２６は、マニュアルＷＢ調整を行う際に条件出し撮影を行って得られる撮像信号データに基づいて感度比補正条件とＷＢ補正条件とを生成してメモリ５０に格納するとともに、本撮像時の画像データを補正する際に、メモリ５０に格納された感度比補正条件および制御信号をディジタル信号処理部４０に供給する。作成した補正条件は、たとえば次にワンプッシュマニュアルＷＢボタン６４が押下されるまで保持しておくと、補正条件を毎回作成することなく同一条件下における複数の本撮影を連続して行うことができる。
【００４８】
本実施例における制御部２６は、マニュアルＷＢ調整時に、撮像レンズ１２の複数の絞り値における感度比補正条件５２とＷＢ補正条件５４とをそれぞれ作成してメモリ５０に蓄積する。とくに感度比変動に影響する各絞りのＦ値（たとえば撮像レンズ１２に応じてＦ＝２．０〜１１）にそれぞれ対応するＷＢ補正条件（ａ）〜（ｆ）と、主／副画素感度比補正条件（Ａ）〜（Ｆ）との補正テーブル作成例を図７に示す。
【００４９】
制御部２６は、マニュアルホワイトバランス調整時には、本撮影時に設定した絞り値に対応する感度比補正条件の値とＷＢ補正条件の値とをメモリ５０から読み出してディジタル信号処理回路４０に供給する。絞り値は、制御部２６が絞り駆動部２２を制御する際に認識され、同様に撮像レンズ１２のフォーカス位置についても制御部２６が制御して認識する。
【００５０】
また、制御部２６は、上述のマニュアルＷＢ調整時の条件出し撮影にて得られた撮像信号に基づいて、撮像画像のＷＢを調節するためのＷＢ補正条件５４を作成してメモリ５０に蓄積する。ＷＢ補正条件５４についても制御部２６は、複数の絞り値についてのＷＢ補正条件５４を作成してメモリ５０に蓄積して本撮影の際に設定される絞り値に備える。
【００５１】
本実施例におけるＷＢ補正条件５４は、条件出し撮影にて得られる撮像信号から生成された所定の画面内領域における画像データのうち、赤（Ｒ）成分と青（Ｂ）成分とのデータを利用して、各ＲＧＢ成分のデータが同レベルとなるように補正する補正信号を表す補正条件を作成する。制御部２６は、主／副画素感度比補正条件５２とＷＢ補正条件５４とを各水平走査ライン毎または所定ライン毎に作成する。本撮影の際に制御部２６は、使用した絞り値に対応するＷＢ補正条件５４をメモリ５０から読み出してディジタル信号処理部４０に供給して、感度比補正させるととともに、各色成分のレベルをＷＢ補正条件５４に従って補正させることにより色バランスを整える。
【００５２】
さらに制御部２６は、ディジタル信号処理回路４０から撮像信号データを入力して、その撮像画像に基づいて被写界の輝度レベルを測光する機能を有している。具体的には制御部２６は、撮像画面を水平および垂直走査方向（Ｈ，Ｖ）に、それぞれ８分割し、画面全体で合計６４分割された各ブロックごとの輝度レベルを測定し、本撮影の際に必要な測光データを算出する分割測光を行い、測光結果に基づいて動画および静止画撮影時の露出値を決定して、露出値に応じた絞り値と露出時間（シャッタ速度）とを決定する。また、制御部２６は、算出した露出値を用いて条件出し撮影を行う際に、絞り１８の開口量を変化させながら複数フレームを撮像する際に、露光量が一定となるようにシャッタ速度を連動してシフトさせるように撮像を制御する。
【００５３】
ディジタル信号処理回路４０は、Ａ／Ｄ変換回路３２，３４からそれぞれ出力される撮像信号データを制御部２６の制御に応じて記憶および演算処理し、表示部４６に出力する表示用の画像データを生成し、また、画像記録部４８に出力する記録用の画像データを生成する。本実施例におけるディジタル信号処理回路４０は、図２に示すように、とくに、Ａ／Ｄ変換回路３２の出力に接続された主／副画素感度比補正回路７０と、補正回路７０の出力に接続されて副感光部３１０からの撮像信号データのＷＢを調整するＷＢゲイン調整回路７２と、調整回路７２の出力に接続されて撮像信号データのガンマ（γ）を補正するγ補正回路７４とを含む。ディジタル信号処理回路４０は、さらに、Ａ／Ｄ変換回路３４の出力に接続された主感光部３１２からの撮像信号データのＷＢを調整するＷＢゲイン調整回路８０と、調整回路８０の出力に接続されて撮像信号データのガンマ（γ）を補正するγ補正回路８２と、各γ補正回路７４，８２の出力に接続され、主感光部３１２と副感光部３１０との各撮像信号データを加算する合成回路（Ｍｉｘ）  ７６とを含む。
【００５４】
ディジタル信号処理回路４０は、さらに、輝度および色差データを生成するＹＣ変換部と、画像サイズを調節する画像縮小部と、圧縮符号化処理および復号処理を行う圧縮伸張部とを有するが、その図示を省略する。
【００５５】
主／副画素感度比補正回路７０は、制御部２６から供給される感度比補正条件に基づいて、本撮影時における副感光部３１０からの撮像信号データを画素毎に補正するディジタルゲインアンプである。補正回路７０は、感度比補正条件に応じたゲインにて撮像信号データを増幅する演算処理を行う。
【００５６】
ＷＢゲイン調整回路７２は、副感光部３１０からの撮像信号データを、制御部２６から供給されるＷＢ補正条件に基づいて画素毎に補正する。他方のＷＢゲイン調整回路８０は、主感光部３１２からの撮像信号データを、制御部２６から供給されるＷＢ補正条件に基づいて画素毎に補正する。
【００５７】
合成回路（Ｍｉｘ）  ７６は、たとえば静止画撮影モードにおいて、γ補正回路７４，８２にて階調変換された画像データに対し画素補間および色補間を行って、各画素位置における各Ｒ，Ｇ，Ｂ色成分それぞれの画素値を算出する。
【００５８】
メモリ５０は、これら処理される撮像信号データを一時格納する記憶領域を有し、格納領域を作業領域として利用して、ディジタル信号処理部４０による各種信号処理が行われる。メモリ５０は、制御部２６からのメモリ制御に従って撮像信号データの書込みおよび読出しを行う。また、メモリ５０は、制御部２６にて生成される主／副画素感度比補正条件５２を格納する記憶領域と、ＷＢ補正条件５４を格納する記憶領域とを有している。
【００５９】
また、ＹＣ変換部（図示せず）は、画像メモリ５０に蓄積された３原色成分の画像データに対し、ＲＧＢ画素データを演算して輝度データＹおよび色差データＣｒ，Ｃｂを生成する色差マトリクス処理と、色差データＣｒ，Ｃｂに対するゲイン調整処理等の補正処理と、輝度データに対する輪郭強調処理とを行う機能を有している。
【００６０】
圧縮伸張部（図示せず）は、静止画撮影モードや動画撮影モードにて供給される画像データにＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）やＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−１，  ＭＰＥＧ−２等の規格に準拠して圧縮・符号化処理する機能部である。圧縮伸長部（図示せず）は、制御部２６の制御に応じて圧縮処理した画像データを画像記録部４８に出力する。なお、圧縮伸張部は、画像データを圧縮せずにＲＡＷデータとして画像記録部４８に出力してもよい。圧縮伸長部は、画像記録部４８にて記録した画像データを制御部２６の制御に応じて読み出し伸長処理を施す機能を有している。
【００６１】
画像縮小部（図示せず）は、画像データを表示するサイズに応じて画像データを画素間引きし、表示部４６に収容される液晶表示パネルや同表示部４６に接続される表示装置に適合する画像サイズに画像データを調整する。画像縮小部は処理した画像データを表示部４６に出力する。
【００６２】
以上のような構成でディジタルカメラ１０のホワイトバランスを手動にて調整するマニュアル調整時の動作を図８を参照して説明する。ステップ８００において手動にてホワイトバランス調整を行う場合に、撮影者は、白またはグレーの板を撮像レンズ１２の前方に配置する。さらに撮影者が操作部６０のＷＢオート／マニュアル切換スイッチ６２をマニュアル側に切り換えると、その操作情報が操作部６０にて検出されて制御部２６に通知される（ステップ８０２）。次いでステップ８０４に進み、制御部２６は、ワンプッシュマニュアルＷＢボタン６４へのオン操作が検出されるとその操作情報が制御部２６にて認識される。次にステップ８０６に進むとカメラ１０は、被写界に配置された板を撮像し、その撮像信号に基づいて被写界の輝度レベルが測定されて露光条件（露出値）が算出される。
【００６３】
次にステップ８０８に進むと、制御部２６は、絞り１８を初期位置である開放状態に制御し、算出した露出値となる露光時間（シャッタ速度）を調整してシャッタ駆動部２４および撮像素子駆動回路２８を制御し、続くステップ８１０にて一コマの撮像を行う。
【００６４】
ステップ８１０では、その露出値にて撮像した撮像信号データに基づいて、主／副画素感度比補正条件「１」とＷＢ補正条件「１」とが制御部２６にてそれぞれ算出されて、算出された各補正条件「１」とその条件出し撮像時の絞り値（この場合開放値）とが制御回路２６からメモリ５０に出力されて記録される（ステップ８１２）。
【００６５】
なお、ＷＢ補正条件を求める際に、主／副画素感度比補正条件を同時に算出するか否かを予め撮影者が選択できるようにしておき、主／副画素感度比補正条件は独立して別に生成するようにしてもよい。
【００６６】
次いでステップ８１４に進み、絞り値が変更されて、所定量の絞りとしてたとえば１段絞った絞り値に絞り１８が制御されるとともに、同一露光量となるように露光時間が１段長い時間に設定されてステップ８１６における次の条件出し撮影が行われる。ステップ８１６では、ステップ８１０と同様にして、ディジタル信号処理部４０では、「ｉ」番目（この場合「２」番目）の主／副画素感度比補正条件「ｉ」とＷＢ補正条件「ｉ」とがそれぞれ算出されて、算出された各補正条件「ｉ」と今回の条件出し撮像時の絞り値とがメモリ５０に記録される（ステップ８１８）。
【００６７】
次いでステップ８２０に進むと、ステップ８１４〜ステップ８１８にて設定された絞り値が最小絞り、つまり最大Ｆナンバーであるか否かが判定されて、最小絞りではない”Ｎｏ”の場合にステップ８１４に戻って以降の処理が繰り返される。現在の絞り値設定が逆最小絞りであった”Ｙｅｓ”の場合には、この条件出し撮像における各補正条件生成処理が終了する。また、撮像レンズ１２前にセットした白またはグレーの板はレンズ前から除去される。
【００６８】
このようにして、同一露光量にて絞りの撮像条件を段階的に変更した状態にて主／副画素感度比補正条件５２とＷＢ補正条件５４とが作成されてメモリに５０格納される。この状態にて撮影者が所望の被写体に対する本撮影が行われる。この動作を図９を参照して説明すると、制御部２６は、ＷＢオート／マニュアル切換スイッチ６２がマニュアル側に設定されていることを確認し（ステップ９００）、作成した主／副画素感度比補正条件５２とＷＢ補正条件５４がメモリ５０に格納されている状態にて、レリーズスイッチへのオン操作を示す操作情報が操作部６０にて検出される（ステップ９０２）と、ステップ９０４に進んで、カメラ１０は、所望の被写体を撮像し、その撮像信号に基づいて被写界の輝度レベルが６４分割測光により測定され、その分割ブロックの各測光値から算出した評価値に従って露光条件（露出値）が制御部２６にて決定される。このとき、操作情報と絞り優先モード、シャッタ速度優先またはプログラムモード等の露出モードに応じて絞り値と露出時間とが決定され、これら決定した露光条件に従ってステップ９０６における本撮像が行われる。
【００６９】
ステップ９０６における本撮像では、制御部２６は、撮像レンズ１２のフォーカスを制御した後、静止画撮像モードを各部に設定し、メカニカルシャッタ２０を一旦閉成させるとともに、決定した絞り値に絞り１８を制御し、撮像素子１４を駆動する。
次いで電荷の高速掃き出し完了後にメカニカルシャッタ２０を駆動させて露出時間が開始され、メカニカルシャッタ２０の作動完了にて露光時間が終了する。
【００７０】
撮像素子１４にて受光された被写界像は光電変換されて、各画素にて生成された信号電荷に応じた撮像信号が画素点順次にてアナログ処理回路３０に出力される。
アナログ処理回路３０では、相関二重サンプリングおよび可変利得増幅による処理が行われ、処理された副画素および主画素の撮像信号はＡ／Ｄ変換回路３２，３４にてそれぞれ１２ビットのディジタル値に変換され、変換された副画素および主画素の撮像信号データはディジタル信号処理部４０にそれぞれ入力される。
【００７１】
このときディジタル信号処理部４０には、制御部２６から本撮像の際に使用した絞り値に対応する主／副画素感度比補正条件５２とＷＢ補正条件５４とが供給されて。
副画素の撮像信号データは、まず主／副画素感度比補正回路７０にて主／副画素感度比補正条件５２に従って各水平走査ラインの画素位置対応にそれぞれゲイン制御に応じたレベルに補正される。レベル補正された撮像信号データはさらに、ＷＢゲイン調整回路７２にてＷＢ補正条件５４に従って、各色成分Ｒ，Ｂの信号レベルが各画素位置毎に調整される。これらのレベル補正および調整は、撮像信号データを一旦メモリ５０に蓄積した状態にて処理作業が行われる。また、主画素に対応する撮像信号データは、ＷＢゲイン調整回路８０にてＷＢ補正条件５４に従って、各色成分Ｒ，Ｂの信号レベルが各画素位置毎に調整される。
【００７２】
これら信号処理の後、副画素および主画素の各撮像信号データは、γ補正回路７４，８２にてそれぞれガンマ補正され、補正された副画素および主画素の各撮像信号データは、合成回路７６に入力されて、各画素位置毎に加算演算処理が施されて広ダイナミックレンジの画素値を有する撮像信号データが生成される。
【００７３】
ディジタル信号処理部４０では、生成された撮像信号データから各画素位置毎の画素値を算出する画素生成処理が行われ、さらにＹＣデータに変換されてそのゲイン処理が行われる。このＹＣデータを記録する場合には、たとえばＹＣデータに対して圧縮符号化処理を行って、処理された符号化データは画像記録部４８に供給されて所定の情報記録媒体に記録される。
【００７４】
以上説明したように、ディジタルカメラ１０は、マニュアル操作によるホワイトバランス調整を行う際に、ＷＢ調整のためのＷＢ補正条件と、主画素と副画素との感度比を保つための感度比補正ための感度比補正条件とを実際の撮像条件にてともに作成して記憶しておき、本撮像にて得られた撮像信号に対しＷＢ調整を行う際に、作成した感度比補正条件にて感度比補正を行い、さらにＷＢ補正条件に従って自動的にＷＢ調整を施すことができるので、操作の二度手間が防止され、また、高品位の撮像画像を得ることができる。この場合、本撮像の際に使用される絞り値に対応した補正条件にて各補正を的確に、きめ細やかに行うことができ、本撮影時に絞り値を変更する際にも、補正条件を改めて作成し直す煩わしさがなく、柔軟に対応することができる。
【００７５】
なお、上記、図８にて説明したステップ８０８では、絞りの初期位置を開放絞りとして、各段の絞り値における各補正条件５２，５４を算出する際に、絞り１８を順次絞り込みながら生成していたがこれに限らず、たとえば図１０に示すように逆順に最小絞りから開放絞り方向に順次絞りを開きながら各補正条件を算出するようにしてもよい。同図を参照すると、図８と同様の処理工程（ステップ）については同番号のステップ番号で示している。
【００７６】
すなわち、図１０において、ステップ８０６に続くステップ１０００では、制御部２６は、絞り１８を初期位置として最小絞りに制御し、算出されている露出値となる露光時間（シャッタ速度）を調整してシャッタ駆動部２４および撮像素子駆動回路２８を制御する。このようにして続くステップ８１０にて一コマの撮像を行い、ステップ８１０にて各補正条件を生成してメモリ５０に記憶し（ステップ８１２）、その後ステップ１００２に進む。ステップ１００２において、たとえば１段開いた値に絞り１８が制御されるとともに、同一露光量となるように露光時間が１段短い時間に設定される。
こうして以降のステップ８１６〜ステップ８１８が繰り返し行われて、ステップ１００４において、絞り１８が開放であった場合に、これら補正条件の生成処理を終了することができる。
【００７７】
また、本撮影時に使用が想定される絞り値が既に明確に決定されている場合や、絞り値がある範囲内に限定されている場合、さらには使用する露光時間が限定されている場合などでは、対応する範囲の絞り開口量にて各補正条件を生成するようにして、補正条件の生成処理を短縮化するとよい。また、撮像レンズ１２および絞り１８等がカメラ本体に装着されたこと認識すると制御部２６は、表示部４６等に「マニュアルＷＢ調整してください」という旨のメッセージを液晶モニタ画面表示させるとよい。
【００７８】
【発明の効果】
このように本発明によれば、たとえば厳密な撮影条件において、手動にてホワイトバランスを設定するマニュアルＷＢ調整を行う際に、主感光部と副感光部との感度比補正をともに自動的に行うことができ、精度のよい撮影画像を得ることができる。
【００７９】
また、複数の絞り値に対応する補正条件を条件出し撮影の際にそれぞれ作成しておき記憶することができるので、本撮影の際に絞り値を変更しても補正条件を再作成することなく柔軟に対応することができる。この結果、マニュアル調整時に良好な撮像画像を得ることができる。
【００８０】
また、このような精密な補正処理において、厳密な精度が要求され、撮像レンズが交換された場合に補正条件を作成し、撮影時の絞り等の撮影条件に応じた補正条件に従って、撮像信号データをそれぞれ的確に補正および調整処理することができる。
【図面の簡単な説明】
【図１】本発明が適用されたディジタルカメラのブロック図である。
【図２】図１に示した実施例におけるディジタル信号処理部の内部構成例を示すブロック図である。
【図３】図１に示した実施例における撮像素子の撮像面の概略構成例を示す図である。
【図４】図３に示した撮像素子の撮像面における結像錯乱円の様子を説明する図である。
【図５】図３に示した撮像素子の撮像面における結像錯乱円の様子を説明する図である。
【図６】絞り値（Ｆ値）の変化に応じて画素出力レベルが低下する状態を示す図である。
【図７】各絞り値（Ｆ値）に対応するＷＢ補正条件および主／副画素感度比補正条件の補正テーブル作成例を示す図である。
【図８】ディジタルカメラのマニュアルＷＢ調整時の補正条件作成の際の動作を示すフローチャートである。
【図９】ディジタルカメラのマニュアルＷＢ調整時にて、本撮影の際に補正条件に従って主／副画素感度比補正およびＷＢ調整を行う動作を示すフローチャートである。
【図１０】ディジタルカメラのマニュアルＷＢ調整時の補正条件作成の他の動作例を示すフローチャートである。
【符号の説明】
１０  ディジタルカメラ
１２  撮像レンズ
１４  撮像素子
１６  レンズ駆動部
１８  絞り
２０  メカニカルシャッタ
２２  絞り駆動部
２４  シャッタ駆動部
２６  制御部（ＣＰＵ）
２８  撮像素子駆動部
３２，３４  アナログ／ディジタル（Ａ／Ｄ）変換回路
４０  ディジタル信号処理部
４６  表示部
５０  メモリ
５２  主／副画素感度比補正条件
５４  ＷＢ補正条件
６０  操作部
６２  ＷＢオート／マニュアル切換スイッチ
６４  ワンプッシュマニュアルＷＢボタン
【図１】
2004320634.tif 000003
【図２】
2004320634.tif 000004
【図３】
2004320634.tif 000005
【図４】
2004320634.tif 000006
【図５】
2004320634.tif 000007
【図６】
2004320634.tif 000008
【図７】
2004320634.tif 000009
【図８】
2004320634.tif 000010
【図９】
2004320634.tif 000011
【図１０】
2004320634.tif 000012